(57)【要約】【課題】収納用具で画像データを出力したプリント用紙とその画像データを記録した記録媒体とを一体として取り扱えるようにし、プリント用紙と記録媒体との組み合わせを容易にして保管管理が簡単に行えるようにする。【解決手段】二枚の第一シートを重ね合わせた用紙収納部２と、ＣＤ−ＲＷやＤＶＤなどの記録媒体を収納する記録媒体収納部３とを備え、記録媒体収納部３を、二枚のシート１０を重ね合わせてその三方の辺側を用紙収納部２に固定し、一辺側を媒体出し入れ口１５とした袋部８と、袋部８の外面側のシート１０への重ね合わせにより媒体出し入れ口１５を閉じる蓋板９とから形成した。【選択図】    図１
0003103874.tif 000002
【実用新案登録請求の範囲】
【請求項１】
透視可能な合成樹脂製シート材からなる二枚の第一シートを重ね合わせて少なくとも上辺側がプリント用紙出し入れ口として開放されている用紙収納部と、前記用紙収納部の外面に位置してＣＤ−ＲやＤＶＤ−Ｒなどの記録媒体を収納する記録媒体収納部とを備え、
前記記録媒体収納部は、合成樹脂製シート材からなる一枚の第二シートの三方の辺を用紙収納部に固定して、前記第一シートと前記第二シートとの間に形成されて用紙収納部に対して非固定とした一辺側を前記記録媒体が出し入れ可能な媒体出し入れ口とした袋部と、用紙収納部における前記媒体出し入れ口に対応する位置に取付基端を固定して、前記第二シートへの重ね合わせにより前記媒体出し入れ口を閉じる蓋板とからなるものであることを特徴とする記録媒体とプリント用紙の収納用具。
【請求項２】
透視可能な合成樹脂製シート材からなる二枚の第一シートを重ね合わせて少なくとも上辺側がプリント用紙出し入れ口として開放されている用紙収納部と、前記用紙収納部の外面に位置してＣＤ−ＲやＤＶＤ−Ｒなどの記録媒体を収納する記録媒体収納部とを備え、
前記記録媒体収納部は、合成樹脂製シート材からなる二枚の第二シートを重ね合わせた重ね合わせ体の三方の辺を用紙収納部に固定して、重ね合わせ体の用紙収納部に対して非固定とした一辺側を前記記録媒体が出し入れ可能な媒体出し入れ口とした袋部と、前記袋部の用紙収納部側の第二シートにおける媒体出し入れ口側の辺に連接して、袋部の外面側の第二シートへの重ね合わせにより媒体出し入れ口を閉じる蓋板とからなるものであることを特徴とする記録媒体とプリント用紙の収納用具。
【請求項３】
上記蓋板が重ねられる第二シートは、袋部に収納する記録媒体の中心孔に対応する位置が開放され、前記蓋板は、袋部に収納した記録媒体の前記中心孔に係脱可能に係止する係止舌片が切り込み形成され、該係止舌片の記録媒体の中心孔への係止により蓋板の前記第二シートへの重ね合わせ状態が維持される構成とした請求項１または２に記載の記録媒体とプリント用紙の収納用具。
【考案の詳細な説明】
【技術分野】
【０００１】
本考案はデジタルカメラで撮影した画像を出力したプリント用紙を収納することができるとともに、デジタルカメラでの画像データを収録したＣＤ−ＲやＤＶＤ−Ｒなどの記録媒体をプリント用紙と組み合わせて管理できるようにしたプリント用紙収納用具に関するものである。
【背景技術】
【０００２】
従来から写真撮影に際して一般においてもデジタルカメラを利用することが多く行われており、そのデジタルカメラの画像データをパーソナルコンピュータに取り込み、カラープリンタで印刷出力し、また画像データ自体もＦＤやＣＤ−ＲＷに記録して保存することが行われている。そして、画像データを記録したＦＤやＣＤ−ＲＷなどの記録媒体自体の保管管理を容易にするために、その記録媒体を保持するに適した収納機構を備えたルーズリーフタイプのフォルダも提案されている（例えば特許文献１参照）。
【特許文献１】特開２００３−２５２３９４号公報
【考案の開示】
【考案が解決しようとする課題】
【０００３】
ところで、近年、デジタルカメラの高機能化に伴いデジタルカメラに取り込むことのできるデータ量が大きくなってきているとともに、デジタルカメラで一時的に画像データを貯えるメモリの形態も多種に亘るようになってきていることから、その画像データを一般的なパーソナルコンピュータに取り込むにはそのパーソナルコンピュータ側で取り込み機器などを用意する必要となる場合が多くなってきている。また、画像出力に際してもトリミングなどの画像データの修正に対して専門的な知識を要する場合があり、さらに画像データの出力するプリンタ形式に適したプリント用紙を用意する必要が生じるなどの手間を要するようになってきている。
そのため、デジタルカメラ自体やそのメモリチップをＤＰＥショップなどの画像データ取り扱い専門店に持ち込み、その専門店側で画像データを印刷出力してもらい、さらには一般的なパーソナルコンピュータでのデータ出力に適するように加工修正された画像データを、昨今の標準的な記録媒体となっているＣＤ−ＲやＤＶＤ−Ｒなどに記録してもらいたいとの要望が多くなされ、これに答えるサービスも専門店で提供されるようになってきている。
しかしながら、現状においてはポジプリントとして画像データを出力したプリント用紙とその画像データを記録したＣＤ−ＲやＤＶＤ−Ｒなどの記録媒体とは取り扱いがそれぞれ異なることから、これらを組み合わせて保管管理することが煩雑になるという問題がある。
そこで本考案は上記事情に鑑み、専用の用具にて、画像データを出力したプリント用紙とその画像データを記録した記録媒体とを一体として取り扱えるようにすることを課題とし、その用具の使用によりプリント用紙と記録媒体との組み合わせを容易にして保管管理が簡単に行えるようにすることを目的とするものである。
【課題を解決するための手段】
【０００４】
本考案は上記課題を考慮してなされたもので、透視可能な合成樹脂製シート材からなる二枚の第一シートを重ね合わせて少なくとも上辺側がプリント用紙出し入れ口として開放されている用紙収納部と、前記用紙収納部の外面に位置してＣＤ−ＲやＤＶＤ−Ｒなどの記録媒体を収納する記録媒体収納部とを備え、前記記録媒体収納部は、合成樹脂製シート材からなる一枚の第二シートの三方の辺を用紙収納部に固定して、前記第一シートと前記第二シートとの間に形成されて用紙収納部に対して非固定とした一辺側を前記記録媒体が出し入れ可能な媒体出し入れ口とした袋部と、用紙収納部における前記媒体出し入れ口に対応する位置に取付基端を固定して、前記第二シートへの重ね合わせにより前記媒体出し入れ口を閉じる蓋板とからなるものであることを特徴とする記録媒体とプリント用紙の収納用具を提供して、上記課題を解消するものである。
【０００５】
また、もう一つの考案は、透視可能な合成樹脂製シート材からなる二枚の第一シートを重ね合わせて少なくとも上辺側がプリント用紙出し入れ口として開放されている用紙収納部と、前記用紙収納部の外面に位置してＣＤ−ＲやＤＶＤ−Ｒなどの記録媒体を収納する記録媒体収納部とを備え、前記記録媒体収納部は、合成樹脂製シート材からなる二枚の第二シートを重ね合わせた重ね合わせ体の三方の辺を用紙収納部に固定して、重ね合わせ体の用紙収納部に対して非固定とした一辺側を前記記録媒体が出し入れ可能な媒体出し入れ口とした袋部と、前記袋部の用紙収納部側の第二シートにおける媒体出し入れ口側の辺に連接して、袋部の外面側の第二シートへの重ね合わせにより媒体出し入れ口を閉じる蓋板とからなるものであることを特徴とする記録媒体とプリント用紙の収納用具であり、この収納用具を提供して、上記課題を解消するものである。
【０００６】
上記二つの考案において、上記蓋板が重ねられる第二シートは、袋部に収納する記録媒体の中心孔に対応する位置が開放され、前記蓋板は、袋部に収納した記録媒体の前記中心孔に係脱可能に係止する係止舌片が切り込み形成され、該係止舌片の記録媒体の中心孔への係止により蓋板の前記第二シートへの重ね合わせ状態が維持される構成とすることが良好である。
【考案の効果】
【０００７】
本考案によれば、用紙収納部の外面に記録媒体収納部が取り付けられているので、用紙収納部にプリント用紙を収納するとともに、記録媒体収納部にＣＤ−ＲやＤＶＤ−Ｒなどの記録媒体を収納することで、プリント用紙と記録媒体とが組み合わされ、両者を一組として一体的に取り扱えるようになって保管管理が容易になる。また、記録媒体収納部もシート材を用紙収納部の外面に合わせてその三方の辺を固定してなるものであるため、プリント用紙収納要部全体が薄形となって嵩張ることがなく、さらに記録媒体収納部が蓋板を備えているので、収納した記録媒体の不用意な飛び出しを防止できる。
そして、記録媒体収納部の蓋板が記録媒体の中央孔に係止して蓋板の重ね合わせ状態を維持する構成とすることで、媒体出し入れ口の閉状態が確実に維持されて記録媒体を安定的に収納させることができるようになるなど、実用性に優れた効果を奏するものとなる。
【考案を実施するための最良の形態】
【０００８】
つぎに本考案を図１から図３に示す実施の形態に基づいて詳細に説明する。
図中１は記録媒体とプリント用紙の収納用具で、該収納用具１はプリント用紙を出し入れ可能に収納する用紙収納部２と、この用紙収納部２の外面に位置し、ＣＤ−ＲやＤＶＤ−Ｒなどの円盤状の記録媒体を出し入れ可能に収納する記録媒体収納部３とを備えているものである。
用紙収納部２は、透視可能な合成樹脂製シート材を折ることによって二枚の第一シート４を重ね合わせた形態とし、折り部５を反対側の辺と下辺とを溶着して上辺をプリント用紙出し入れ口６として開放するとともに、折り部５を反対側の辺の溶着部分から側方に変節し、用紙収納部２の高さ方向に亘る延設部分に図示しないバインダーなどの各種の綴じ具の綴じ構造に応じるようにした複数の綴じ孔７が設けられている。
【０００９】
本実施例における上記記録媒体収納部３は袋部８と蓋板９とからなるものである。前記袋部８は、上記用紙収納部２の合成樹脂製シート材と同じシート材を折り位置が下側となるように折ることで二枚の第二シート１０が重ね合わされた形態とし、この第二シート１０を重ね合わせた重ね合わせ体１１の下辺となる折り部１２にある取り付け舌片１３を用紙収納部２の下辺位置に合わせ、さらに重ね合わせ体１１の両側辺１４の内一方を用紙収納部２の折り部５に揃え、前記取り付け舌片１３と両側辺１４それぞれを用紙収納部２の一方の第一シート４に溶着しているものであり、上辺側を媒体出し入れ口１５として袋部内に記録媒体を収納することができるものである。
また、前記蓋板９は、袋部８の用紙収納部２側の第二シート１０における媒体出し入れ口側である上辺に回動可能に連接して、袋部８の外面側の第二シート１０への重ね合わせができるものであり、この重ね合わせによって前記媒体出し入れ口１５を閉じるようにしているものである。
このように記録媒体とプリント用紙の収納用具１は、用紙収納部２の外面に第二シート１０の重ね合わせた袋部８と蓋板９とからなる記録媒体収納部３を配した構造であるため、用紙収納部２に画像を印刷出力したプリント用紙を入れ、記録媒体収納部３に画像データを記録したＣＤ−ＲやＤＶＤ−Ｒなどの記録媒体を収納することで、プリント用紙と記録媒体とを離すことなく両者を一体的に取り扱いでき、保管管理が容易になる。また、記録媒体収納部３の構造が極めて簡易であるため、この記録媒体とプリント用紙の収納用具１も厚さ方向に大きく嵩張ることなく薄形の形態となり、収納用具１自体の取り扱いも何ら煩雑にならない。
【００１０】
図示するように袋部８における外面側の第二シート１０は、媒体出し入れ口１５側の上辺の中央部分から袋部８に収納する記録媒体Ａの中心孔Ｂに対応する位置までが開放され、この開放部分１６を蓋板９が第二シート１０側に重ね合わせたときに覆うようにしている。そして、この袋部８に収納した記録媒体Ａに対してその上位置に対応する高さ位置で蓋板９の折り曲げによりなる回動基端が設定されていて、蓋板９を前記開放部分１６を覆うようにしたときに記録媒体Ａの上位置の周辺が当接するようにしているとともに、記録媒体Ａの中心孔Ｂに係脱可能に係止する係止舌片１７が蓋板９の先端側に切り込み形成されていて、記録媒体Ａを収納した袋部８の外面側の第二シート１０に重なるように蓋板９を重ね合わせ、この蓋板９の係止舌片１７を記録媒体Ａの中心孔Ｂに係止させれば、記録円盤Ａ自体が袋部８に保持されているため、蓋板９の不用意な持ち上がりが規制されて第二シート１０への重ね合わせ状態が維持されるようにしている。そのため、この蓋体９の重ね合わせ状態が維持されて媒体出し入れ口１５の閉状態も維持されることとなり、よって、記録媒体Ａがその袋部８内でより適正に保持されるようになる。
この記録媒体収納部３は、上記蓋板９で上述のように第二シート１０側に重ね合わせて係止舌片１７を中心孔Ｂに掛けた状態のときに、このプリント用紙収納用具１の外方向に対して記録媒体Ａが直接表出することなく収納されるようにしているものであり、記録媒体Ａの情報記録面が傷付かないように設けられている。この情報記録面の保護をより適正に行なうために、本実施の例では不織布からなる保護シート１８がこの記録媒体収納部３に予め収納されている。
【００１１】
上記例において記録媒体収納部３を合成樹脂製シート材の折りによりなる重ね合わせ体を用いて形成しているが、図３に示すように構成してもよい。即ち、記録媒体収納部３を、一枚の第二シート１０の下辺と両側辺とを用紙収納部２の第一シート４に溶着し、第一シート４と前記一枚の第二シート１０との間に、上辺側を記録媒体が出し入れ可能な媒体出し入れ口１５として記録媒体を収納する袋部８を形成するとともに、用紙収納部２における前記媒体出し入れ口１５に対応する位置に蓋板９の取付基端を固定し、この蓋板９を第二シート１０へ重ね合わせすることで、前記媒体出し入れ口１５を閉じる構造としてもよい。この例においても、プリント用紙を用紙収納部２に収納し、記録媒体を記録媒体収納部３に収納することで、プリント用紙と記録媒体とを一体的に管理できるようになる。なお、この例においても、蓋板９の回動基端位置が記録媒体の上位置の周辺の高さ位置に対応してその記録媒体の周辺が蓋板９に当接する点や、第二シート１０に開放部分１６が設けられ、蓋板９を重ね合わせして媒体出し入れ口１５を閉じるとともに、記録媒体の中心孔への係止により蓋板９の重ね合わせ状態が維持されるようにした構成は、上述した例と同じである。
【００１２】
なお、上記各実施の例では、記録媒体収納部の媒体出し入れ口の位置を上辺側としたが、媒体出し入れ口の位置は上辺に限定されるものではない。また、記録媒体収納部は一つと限定されるものではなく、複数あってもよい。
さらに用紙収納部をバインダー対応のリフィールタイプとして示したが、連続する二辺をプリント用紙出し入れ口として開放している構造のものとしてもよい。
【図面の簡単な説明】
【００１３】
【図１】本考案に係る記録媒体とプリント用紙の収納用具の一例を示す説明図である。
【図２】記録媒体を収納した状態を示す説明図である。
【図３】他の例を示す説明図である。
【符号の説明】
【００１４】
１…記録媒体とプリント用紙の収納用具
２…用紙収納部
３…記録媒体収納部
４…第一シート
８…袋部
９…蓋板
１０…第二シート
１５…媒体出し入れ口
１６…開放部分
１７…係止舌片
Ａ…記録媒体
Ｂ…中心孔
【図１】
0003103874.tif 000003
【図２】
0003103874.tif 000004
【図３】
0003103874.tif 000005